(57)【要約】【課題】  光沢性に富み、均一な光沢性を有するプリントを安価に提供する。【解決手段】  表面に画像を形成することができる透明基体と光反射体とが接着又は粘着層を挟んで接合された画像形成用記録媒体に対して、  前記透明基体の第１面に鏡像の画像を形成する画像形成工程、  少なくとも一方の面に接着又は粘着層を有し、前記透明基体の第２面に予め貼り付けられた光反射体を前記透明基体の前記第２面から剥離する剥離工程及び、  前記画像形成工程によって形成された前記画像を担持する前記透明基体の前記第１面に、前記剥離工程によって剥離された前記光反射体の前記接着又は粘着層を貼り合わせる貼り合わせ工程により、カラー写真等のプリントを作成する。【選択図】        図２
2006308876.tif 000002
【特許請求の範囲】
【請求項１】
画像が透明基体で覆われたプリントを作成するプリント作成方法であって、
前記透明基体の第１面に鏡像の画像を形成する画像形成工程、
少なくとも一方の面に接着又は粘着層を有し、前記透明基体の第２面に予め貼り付けられた光反射体を前記透明基体の前記第２面から剥離する剥離工程及び、
前記画像形成工程によって形成された前記画像を担持する前記透明基体の前記第１面に、前記剥離工程によって剥離された前記光反射体の前記接着又は粘着層を貼り合わせる貼り合わせ工程を有することを特徴とするプリント作成方法。
【請求項２】
前記画像形成工程の後に、前記剥離工程が実行されることを特徴とする請求項１に記載のプリント作成方法。
【請求項３】
前記画像形成工程の前に、前記剥離工程が実行されることを特徴とする請求項１に記載のプリント作成方法。
【請求項４】
前記貼り合わせ工程において用いられる位置合わせ用のマークが前記透明基体及び前記光反射体に形成されていることを特徴とする請求項１〜３のいずれか１項に記載のプリント作成方法。
【請求項５】
前記透明基体は切り込み線により区画された画像部分を有し、前記剥離工程において、前記画像部分が剥離され、前記貼り合わせ工程において、前記画像部分が前記切り込み線に位置合わせして張り合わせられることを特徴とする請求項１〜４のいずれか１項に記載のプリント作成方法。
【請求項６】
貼り合わせた後に、貼り合わせたものを裁断する裁断工程を有することを特徴とする請求項１〜５のいずれか１項に記載のプリント作成方法。
【請求項７】
貼り合わせた後に、貼り合わせたものを前記切り込み線に沿って裁断する裁断工程を有することを特徴とする請求項５に記載のプリント作成方法。
【請求項８】
前記画像形成工程は、複数の単色画像を重ね合わせて多色画像を形成するカラー画像形成工程であることを特徴とする請求項１〜７のいずれか１項に記載のプリント作成方法。
【請求項９】
画像形成可能な第１面及び該第１面と反対側の第２面を有する透明基体と、接着又は粘着層を有する光反射体とが、前記第２面と前記接着又は粘着層とで接合され、
前記透明基体が前記光反射体から剥離可能であることを特徴とする画像形成用記録媒体。
【請求項１０】
前記透明基体は帯電防止層を有することを特徴とする請求項９に記載の画像形成用記録媒体。
【請求項１１】
前記透明基体の少なくとも前記第１面は１０7Ω／□〜１０12Ω／□の表面抵抗を有することを特徴とする請求項９又は請求項１０に記載の画像形成用記録媒体。
【請求項１２】
前記透明基体の前記第１面と前記接着又は粘着層との結合力が透明基体の前記第２面と前記接着又は粘着層との結合力よりも大きいことを特徴とする請求項９〜１１のいずれか１項に記載の画像形成用記録媒体。
【請求項１３】
前記透明基体は、樹脂フィルムからなることを特徴とする請求項１〜１２のいずれか１項に記載の画像形成用記録媒体。
【請求項１４】
前記光反射体は、白色、乳白色又は銀色の紙又は樹脂フィルムからなることを特徴とする請求項９〜１３のいずれか１項に記載の画像形成用記録媒体。
【請求項１５】
カットシート状であることを特徴とする請求項９〜１４のいずれか１項に記載の画像形成用記録媒体。
【請求項１６】
前記透明基体と前記光反射体とは、それぞれ位置合わせマークが形成されていることを特徴とする請求項９〜１５のいずれか１項に記載の画像形成用記録媒体。
【請求項１７】
前記透明基体には、画像部分を区画する切り込み線が設けられていることを特徴とする請求項９〜１６のいずれか１項に記載の画像形成用記録媒体。
【請求項１８】
請求項１〜８のいずれか１項に記載のプリント作成方法により作成されたことを特徴とするプリント。
【発明の詳細な説明】
【技術分野】
【０００１】
本発明は、透明基体で覆われた画像を形成し、透明基体を等して画像を見ることができるプリントを作成するプリント作成方法、画像形成用記録媒体及びプリントに関する。
【背景技術】
【０００２】
電子写真方式により形成された画像は、粒子状のトナーからなっており、画像面に凹凸ができて均一な光沢を呈しないために、銀塩写真のように均一な光沢性を持った画像を電子写真により形成することは困難であった。
【０００３】
このために、電子写真方式により形成された画像に銀塩写真並の均一な光沢を持たせるための研究が行われてきた。
【０００４】
光沢性に富んだ画像を形成するには、トナー像を加熱定着する定着工程を工夫するという手段があるが、この手段によっては、トナー像のある部分と、トナー像がないか又はトナー量の少ない部分とに光沢性に差が出るという問題を完全に解決することができない。また、トナー像の部分が盛り上がりレリーフ状になるという問題も解決されない。
【０００５】
特許文献１では、透明フィルムに原稿の鏡像を転写定着し、透明フィルムのトナー像担持面に光反射体を接着するという手段が提案されている。
【０００６】
この手段により形成された画像は、透明フィルムのトナー像担持面と反対側の面が画像の表面になり、トナー像は、透明フィルムと光反射体とによりサンドイッチされる。従って、画像の表面はトナー像を担持しない鏡面となって、光沢性に富み、しかも、均一な光沢性を持った画像が得られる。
【特許文献１】特開平７−５６４０９号公報
【発明の開示】
【発明が解決しようとする課題】
【０００７】
特許文献１で開示された方法は、光沢性に富み、且つ、均一な光沢性を持った画像を形成することを可能とし、トナー像によるレリーフ状の画像形成を防止することができるという、電子写真法による画像特有の問題を解決するにとどまらず、インクジェット法など電子写真法以外の画像形成法により形成される画像における問題の解決をも可能にする。
【０００８】
即ち、画像が透明基体により覆われ、保護されるので、画像の剥離や退光を防止して、耐久性の高いプリントを作成することが可能となる。
【０００９】
しかしながら、特許文献１の方法を実施するには、特別の装置が必要である。即ち、該装置は透明フィルを収納した第１の収納部と、光反射体を収納した第２収納部と、透明フィルムと光反射体とを貼り合わせる貼り合わせ部とが必要である。また場合によっては、光反射体に接着剤又は粘着剤を塗布する塗布手段が必要である。
【００１０】
写真等のプリントに対する需要は種々雑多であり、前記の光沢性を持ったプリントに対する需要は、印刷文字文書のプリント、図面のプリント、ノート等の手書き文書のコピー等多数あるプリント需要の一部にすぎない。
【００１１】
従って、光沢性を必要とするプリントにのみ使用され、他のプリントにおいては使用されない前記の幾つかの構成部を装置に設けることは、余分なコスト高を招き、プリントの消費者に不要なコストを負わせることになる。
【００１２】
本発明は、このような問題を解決し、低コストで光沢性に優れたプリントを作成することを可能とするプリント作成方法、画像形成用記録媒体及びプリントを提供することを目的とする。
【課題を解決するための手段】
【００１３】
前記目的は下記のいずれかの構成により達成される。
（１）
画像が透明基体で覆われたプリントを作成するプリント作成方法であって、
前記透明基体の第１面に鏡像の画像を形成する画像形成工程、
少なくとも一方の面に接着又は粘着層を有し、前記透明基体の第２面に予め貼り付けられた光反射体を前記透明基体の前記第２面から剥離する剥離工程及び、
前記画像形成工程によって形成された前記画像を担持する前記透明基体の前記第１面に、前記剥離工程によって剥離された前記光反射体の前記接着又は粘着層を貼り合わせる貼り合わせ工程を有することを特徴とするプリント作成方法。
（２）
画像形成可能な第１面及び該第１面と反対側の第２面を有する透明基体と、接着又は粘着層を有する光反射体とが、前記第２面と前記接着又は粘着層とで接合され、
前記透明基体が前記光反射体から剥離可能であることを特徴とする画像形成用記録媒体。
（３）
上記（１）に記載のプリント作成方法により作成されたことを特徴とするプリント。
【発明の効果】
【００１４】
本発明により、画像形成機能のみを有する画像形成装置を用いて、光沢性に富み、均一な光沢性を有するプリントを作成することが可能になる。また、このようにして作成されたプリントは、画質、画像の品位、耐久性等の点で優れたものである。
【発明を実施するための最良の形態】
【００１５】
以下に実施の形態により本発明を説明するが、本発明は該実施の形態に限られない。
（１）  実施の形態１
（１）−１  画像形成用記録媒体
図１は、本実施の形態１に係る画像形成用記録媒体を示す。
【００１６】
画像形成用記録媒体Ｎａは、透明基体ＴＭ、接着又は粘着層ＳＮ及び光反射基体ＨＢで構成される。接着又は粘着層ＳＮと光反射基体ＨＢとは光反射体Ｈを構成し、接着又は粘着層ＳＮが光反射基体ＨＢ上に固定された状態となっている。
【００１７】
透明基体ＴＭとしては、ＰＥＴ（ポリエチレンテレフタレート）フィルムが好ましく、その厚さ５０〜５００μｍが好ましい。
【００１８】
厚さが５０μｍよりも薄いと、トナー像による凹凸が写真プリントの表面に出る場合がある。また、５００μｍを超えると通常の電子写真画像形成装置内での処理に支障が出る場合がある。
【００１９】
また、電子写真法により画像を形成する画像形成用記録媒体として使用する場合、透明基体ＴＭは、表明抵抗率が、１０7Ω／□〜１０12Ω／□であることが好ましい。これによって、良好な転写が行われ、高画質の画像を形成することができる。抵抗率が１０7Ω／□より低いと、面方法の電荷のリークにより良好な転写が行われにくく、画質が低下する場合がある。１０12Ω／□より高いと、不要な帯電が起こって、同様に画像形成装置内の搬送に支障が起きたり、画質が低下する場合がある。
【００２０】
このように透明基体の抵抗値を適正にするために、透明基体ＴＭには帯電防止層を設けたものが好ましい。
【００２１】
後に説明するように、透明基体ＴＭと光反射体Ｈとは透明基体ＴＭと接着又は粘着層ＳＮとの接合部で剥離されるので、透明基体ＴＭと接着又は粘着層ＳＮ間の結合力は光反射基体ＨＢと接着又は粘着層ＳＮ間の結合力よりも小さいことが必要である。このために、画像形成用記録媒体Ｎａを構成している透明基体ＴＭの接着又は粘着層ＳＮに接する側の面である第２面には、接着又は粘着層ＳＮからの剥離を容易にする離型層を設けることが好ましい。
【００２２】
また、透明基体ＴＭの画像担持面である第１面に光反射体Ｈの接着又は粘着層ＳＮが接合されて、プリントに形成され、このプリントが画像の鑑賞、所持、保管、その他の取り扱いに供されるので、前記第１面と接着又は粘着層ＳＮとの結合力は大きいことが望ましく、前記第２面と接着又は粘着層ＳＮトンの結合力よりも大きいことが望ましい。
【００２３】
接着又は粘着層ＳＮは予め接着剤又は粘着剤を光反射基体ＨＢ上に塗布等の手段により形成される。その結果、通常のラミネートの場合と異なり、光反射基体ＨＢ側に接着又は粘着層ＳＮが固定された状態となる。このため画像形成用の記録媒体としては、接着又は粘着層の影響を受けずに透明基体上に容易かつ高画質な画像を形成できるとともに、画像形成面の裏面から光反射体を剥離し、これを画像形成面側に貼り合わせることができる。さらにこの状態では光反射体を剥離した側から正像画像を鑑賞できる状態が同時に実現される。
【００２４】
接着又は粘着剤としては、溶剤系アクリル系粘着剤、エマルジョン型粘着剤など周知ののものを用いることができる。
【００２５】
光反射基体ＨＢは白色、乳白色、銀色等の反射性シートであり、印刷用コート紙、合成紙（商品名ユポ等）、樹脂コート紙、樹脂フィルムが好ましい。
【００２６】
図３は光反射体を示し、光反射基体としてコート紙を用いた場合、光反射基体ＨＢは、図３に示すように、光反射基体ＨＢの接着又は粘着層ＳＮに相当する側にコート層ＨＣを有するが、コート層ＨＣのバインダーとして接着剤又は粘着剤を用い、接着層ＳＮとコート層ＨＣとを１層とすることもできる。
【００２７】
コート紙がそのコート層にパラフィン、ポリエチレン、ポリプロピレンなどのポリオレフィンを含有するものであれば、これらの成分がトナーのワックスと相溶し、接着または粘着層として機能するので、ワックスと相溶性のある物質を含有するコート紙を用いれば加熱接着の工程を加えることにより、透明基体と光反射体とをより強固に結合することが可能となる。
【００２８】
図１に示す画像形成用記録媒体Ｎａは、光反射体Ｈの接着又は粘着層ＳＮに透明基体ＴＭを貼り合わせることにより作成される。
【００２９】
図２は本発明の実施の形態１に係るプリント作成方法の工程を示し、図２（ａ）は画像形成工程を示す。
【００３０】
図２（ａ）に示すように、透明基体ＴＭの第１面に鏡像となる画像Ｇが形成される。画像形成には後に説明する電子写真法により形成されるが、インクジェット法等周知の画像形成方法を用いることができる。画像Ｇは透明基体ＴＭの第１面（像担持面）の方向Ｗ１から見たときに上下反転又は左右反転した鏡像である。図４（ａ）に透明基体ＴＭ上に形成された画像Ｇを示す。
【００３１】
次に図２（ｂ）に示すように、光反射体Ｈを透明基体ＴＭから剥離する。
【００３２】
次に図２（ｃ）に示すように、光反射体Ｈに対して、透明基体ＴＭの表裏を反転し、画像Ｇを担持する透明基体ＴＭの第１面を接着層ＳＮに貼り合わせる。図２（ｄ）はこのようにして貼り合わされで形成された画像形成済み記録媒体Ｎｂを示す。
【００３３】
画像形成済み記録媒体Ｎｂを、透明基体ＴＭの画像Ｇを担持する第１面と反対側の第２面の方向Ｗ２から見ることにより、正像が観察される。図４（ｂ）に画像形成済み記録媒体Ｎｂ上の画像Ｇを示す。
【００３４】
本形態におけるプリント作成方法は次の画像形成工程、剥離工程及び貼り合わせ工程を有する。以下、各工程についてに説明する。
（１）−２  画像形成工程
画像形成工程は、透明基体上に鏡像の画像を形成する工程であり、画像形成には、電子写真法、インクジェット法、熱転写法など、周知の方法を用いることができる。
【００３５】
透明基体上に形成されたトナー像は原画像を左右反転又は上下反転した鏡像である。
【００３６】
以下に、電子写真法により画像を形成する画像形成工程について説明する。
【００３７】
電子写真法による画像形成においては、帯電・露光により感光体上に静電潜像が形成され、現像により画像が感光体上に形成される。感光体上の画像は直接転写か又は中間転写体を用いた間接転写により画像形成用記録媒体の透明基体上に転写され、定着される。露光においては、画像データに基づいて、レーザ、ＬＥＤ等による感光体への像露光が行われるが、直接転写又は間接転写において行われる転写の回数に応じた画像処理により、図４（ａ）に示すように、透明基体ＴＭ上に像担持面側から見て鏡像の画像Ｇとなるような像露光が実行される。
【００３８】
現像においては、トナーとキャリアを主成分とする２成分現像剤を用いることが好ましく、トナーとしては、トナー像の定着において、オフセットを防止するワックスを含有する重合トナーが好ましい。
（１）−３  剥離工程及び貼り合わせ工程
前記画像形成工程は、画像形成装置内で行われるが、透明基体と接着又は粘着層及び光反射体からなる光反射体とを剥離する図２（ｂ）に示す工程は、前記画像形成装置から排出された画像形成用記録媒体に対して行われる。同様に、透明基体の表裏を反転した後に、透明基体と前記光反射体とを貼り合わせる図２（ｃ）に示す工程も前記画像形成装置の外で行われる。
【００３９】
前記剥離工程及び貼り合わせ工程は、ここでは人手によって行われるが、貼り合わせ工程においては、位置合わせのためのツールを用いることができる。
【００４０】
図５は剥離工程及び貼り合わせ工程の例を示す。図５（ａ）に示すように、画像形成用記録媒体Ｎａを構成する透明基体ＴＭの端部に位置合わせ用のマークＭＫａを設けるとともに、光反射基体ＨＢの前記端部と反対側の端部に位置合わせ用のマークＭＫｂを設ける。貼り合わせ時に、図５（ｂ）に示すように、マークＭＫａとＭＫｂとを位置合わせして貼り合わせを行い、画像形成済み記録媒体Ｎｂを作成する。
【００４１】
マークＭＫａ、ＭＫｂは予め透明基体ＴＭ及び光反射体Ｈ−に印刷される。
（２）実施の形態２
（２）−１  画像形成用記録媒体
本実施の形態２に係る画像形成用記録媒体を図６に示す。
【００４２】
画像形成用記録媒体Ｎａは透明基体ＴＭと光反射体Ｈとからなり、光反射体Ｈは接着又は粘着層を有し、透明基体ＴＭと光反射体Ｈとは該接着又は粘着層で接合されている。
【００４３】
透明基体ＴＭ及び光反射体Ｈとは実施の形態１と同様な材料からなるが、透明基体ＴＭは画像枠を形成する切り込み線ＦＬを有する。切り込み線ＦＬはいわゆるミシン目であり、切り込み線ＦＬで囲まれた画像部分ＴＭＧを透明基体ＴＭの他から切り離すことができる。
【００４４】
切り込み線ＦＬは図示の例では矩形であるが、円形、楕円形、ハート形等所望の形にすることができる。
（２）−２  プリント作成方法
図７、図８は本発明の実施の形態２に係るプリント作成方法の工程を示し、図７（ａ）は画像形成工程を示す。
【００４５】
図７（ａ）において、画像形成用記録媒体Ｎａの透明基体ＴＭの第１面に画像Ｇを形成する。画像Ｇは透明基体の画像部分ＴＭＧ、即ち、切り込み線ＦＬで囲まれた部分を包含し、該部分をわずかにはみ出る領域に形成される。
【００４６】
このように画像Ｇを形成することにより、縁無しの画像が形成される。画像Ｇが画像部分ＴＭＧから大幅にはみ出すと、画像Ｇの周辺部分が失われることになる。周辺部分の幅は最大５ｍｍ程度とすることが望ましい。
【００４７】
図７（ｂ）において、切り込み線ＦＬで囲まれた画像部分ＴＭＧを剥離する。光反射体Ｈ上に残った透明基体部分を（ＴＭ）で示す。
【００４８】
次に、図７（ｃ）において、切り離した画像部分ＴＭＧの表裏を反転し、画像部分ＴＭＧの画像担持面（第１面）が光反射体Ｈ側になるようにする。
【００４９】
図８（ａ）において、表裏反転した画像部分ＴＭＧを光反射体Ｈに貼り合わせる。この貼り合わせ工程において、切り込み線ＦＬを位置合わせとして使用することが出来るので、画像部分ＴＭＧを正確な位置に貼り合わせることが出来る。
【００５０】
次に、図８（ｂ）において、切り込み線ＦＬに沿って裁断することにより、透明基体ＴＭ及び光反射体ＨからなるプリントＮｂができあがる。
【００５１】
図８（ｃ）は以上の工程を経て作成されたプリントＮｂを示すが、図示のように、縁無しのプリントＮｂができあがる。
【００５２】
電子写真法により画像を形成する場合に、記録媒体の領域いっぱいに画像を形成すると、トナー飛散が発生して、画像汚れ、機内汚れ等を起こすという問題があるが、図７、８に示ように、画像Ｇを、切り込み線ＦＬで区画された画像部分ＴＭＧを含む領域に形成し、切り込み線すＦＬに沿って裁断することにより、縁なし画像を電子写真法により形成する場合に起こるトナー飛散の問題が解決される。
（３）実施の形態３
本実施の形態においては、図１又は図６に示す画像形成用記録媒体Ｎａを用い、図９に示す工程を経てプリントＮｂが作成される。
【００５３】
最初に図９（ａ）に示すように、透明基体ＴＭ及び光反射体Ｈからなる画像形成用記録媒体Ｎａから透明基体ＴＭが剥離される。なお、光反射体Ｈは前記に説明したように、光反射基体ＨＢ及び接着又は粘着層ＳＮからなる。
【００５４】
剥離された透明基体ＴＭの第１面上に画像Ｇが形成される｛図９（ｂ）｝。図９（ｂ）の画像形成は、例えば、図１０、１３に示し後に説明する電子写真画像形成装置によって行われるが、インクジェット方等他の画像形成方法の画像形成装置を用いて行うこともできる。
【００５５】
本実施の形態においては、透明基体ＴＭ単体上に画像を形成するので、画像を形成する画像形成体の搬送、画像の定着等の画像担持体に対する処理が容易であるという利点がある。
【００５６】
次に、図９（ｃ）に示すように、透明基体ＴＭの画像Ｇを担持する第１面を光反射体Ｈの接着又は粘着層ＳＮに接合することにより、透明基体ＴＭと光反射体Ｈとが結合される。
【００５７】
図９（ｄ）は以上の工程によりできあがったプリントＮｂを示す。画像Ｇが矢印Ｗ２で示す透明基体ＴＭの第２面側から見て正像である。
（４）画像形成装置
図１０は前記画像像形成工程を実行する装置の第１例であるカラー画像形成装置を示す図である。
【００５８】
カラー画像形成装置は、イエロートナー像を形成する画像形成ユニットＹ、マゼンタトナー像を形成する画像形成ユニットＭ、シアントナー像を形成する画像形成ユニットＣ及び黒トナー像を形成する画像形成ユニットＫを有する。
【００５９】
画像形成ユニットＹ、Ｍ、Ｃ及びＫは同じ構造を有するので、イエロートナー像のみに、画像形成部を構成する手段に符号を付し、他の符号を省略しており、画像形成ユニットＹの作動について下記に説明するが、画像形成ユニットＭ、Ｃ及びＫも同様な作動を行う。
【００６０】
ドラム状の感光体１の周囲に、帯電手段２、露光手段３、現像手段４、１次転写手段５及びクリーニング手段６が配置される。
【００６１】
画像形成時には、感光体１が時計方向に回転して、感光体１に対して、帯電手段２の帯電及び露光手段３の露光により、感光体１上に静電潜像が形成され、形成された静電潜像は現像手段４により現像されて感光体１上にトナー像が形成される。
【００６２】
感光体１上のトナー像は１次転写手段５により中間転写体７に転写される。
【００６３】
複数の支持ローラ８に張架され矢印のように移動する中間転写体７上には、画像形成ユニットＹにおいて形成されたイエロートナー像、画像形成ユニットＭにおいて形成されたマゼンタトナー像、画像形成ユニットＣにおいて形成されたシアントナー像及び画像形成ユニットＫにおいて形成された黒トナー像が重ね合わせ転写され、多色トナー像が形成される。
【００６４】
中間転写体上の多色トナー像は、２次転写手段１０により、画像形成用記録媒体Ｎａに転写される。
【００６５】
多色トナー像が形成された画像形成用記録媒体Ｎａは定着手段１１を通過して定着処理される。
【００６６】
画像形成用記録媒体Ｎａはカセット１２に収納されており、給紙ローラ１３により１枚ずつ転写部に供給される。画像形成用記録媒体Ｎａは図１又は図６に示したもの、即ち、透明基体ＴＭ及び光反射体Ｈからなる。
【００６７】
帯電手段２としては、放電極及びグリッドを有するスコロトロン帯電器が好ましく用いられる。
【００６８】
露光手段３としては、画像データに基づいて発光し、感光体１をドット露光する露光装置が好ましく用いられ、レーザ走査露光装置、ＬＥＤアレイ露光装置等が好ましく用いられる。
【００６９】
現像手段４としては、トナーとキャリアを主成分とする二成分現像剤を用いて反転現像を行う現像装置が好ましく用いられる。
【００７０】
１次転写手段５及び２次転写手段１０としては、転写電圧が印加された転写ローラ又は放電極を有するコロトロン帯電器が好ましく用いられる。
【００７１】
クリーニング手段６、９としては弾性ブレードを用いたブレードクリーニング装置が好ましく用いられる。
【００７２】
定着手段１１としては、ローラ又はベルトによりトナー像を加熱する加熱装置が用いられる。
【００７３】
画像形成ユニットＹ、Ｍ、Ｃ、Ｋにおいては、それぞれ感光体１上に鏡像のトナー像が形成されるように、露光装置３が露光する。図１１はこのような鏡像を形成するための画像処理手段を示す。
【００７４】
露光手段３を駆動するための画像データを生成する画像処理手段２０は、画像メモリ２１から画像データを読み出し、画像データ２２ｂを生成するが、鏡像を形成する場合には、画像処理手段２０は画像メモリ２１記憶されている画像データ２２ａを図１２のように、書込時の順序ｘ１と反対の順序ｘ２で主走査方向の読み出しを行い、書込時の順序ｙで副走査方向の読み出しを行って画像データ２２ｂを生成する。
【００７５】
感光体１上に形成された鏡像は、中間転写体７上で正像となり、画像形成用記録媒体Ｎａに転写されることにより鏡像となる。
【００７６】
図１３は前記画像像形成工程実行する装置の第２例であるカラー画像形成装置を示す図である。
【００７７】
画像形成部は、イエロートナー像を形成する画像形成ユニットＹ、マゼンタトナー像を形成する画像形成ユニットＭ、シアントナー像を形成する画像形成ユニットＣ及び黒トナー像を形成する画像形成ユニットＫを有する。
【００７８】
画像形成ユニットＹ、Ｍ、Ｃ及びＫは共通の構造を有するので、イエロートナー像のみに、画像形成部を構成する手段に符号を付し、他の符号を省略しており、画像形成ユニットＹの作動について下記に説明するが、画像形成ユニットＭ、Ｃ及びＫも同様な作動を行う。
【００７９】
ドラム状の感光体１の周囲に、帯電手段２、露光手段３、現像手段４、転写手段５及びクリーニング手段６が配置される。
【００８０】
画像形成時には、感光体１が時計方向に回転し、帯電手段２の帯電及び露光手段３の露光により、感光体１上に静電潜像が形成され、形成された静電潜像は現像手段４により現像されて感光体１上にトナー像が形成される。
【００８１】
感光体１上のトナー像は転写手段５により画像形成用記録媒体Ｎａに転写される。
【００８２】
画像形成用記録媒体Ｎａ上には、画像形成ユニットＹにおいて形成されたイエロートナー像、画像形成ユニットＭにおいて形成されたマゼンタトナー像、画像形成ユニットＣにおいて形成されたシアントナー像及び画像形成ユニットＫにおいて形成された黒トナー像が重ね合わせ転写され、多色トナー像が形成される。
【００８３】
多色像が形成された画像形成用記録媒体Ｎａを定着手段１１を通過して定着処理される。
【００８４】
本例においては、露光手段３により感光体１上に原画像の正像のトナー像が形成され、画像形成用記録媒体Ｎａには鏡像のトナー像が形成される。
【００８５】
このような正像は、図１１における画像処理手段２０が画像メモリ２１から画像データ２２ａを読み出す際に、書込時に順序と同じ順序ｘ１で読み出した画像データ２２ｂで露光手段３を駆動することにより形成される。
【図面の簡単な説明】
【００８６】
【図１】本発明の実施の形態１に係る画像形成用記録媒体を示す図である。
【図２】本発明の実施の形態１に係るプリント作成方法の工程を示す図である。
【図３】光反射体を示す図である。
【図４】透明基体及び画像形成済み記録媒体上の画像を示す図である。
【図５】剥離工程及び貼り合わせ工程を示す図である。
【図６】本発明の実施の形態２に係る画像形成用記録媒体を示す図である。
【図７】本発明の実施の形態２に係るプリント作成方法の工程を示す図である。
【図８】本発明の実施の形態２に係るプリント作成方法の工程を示す図である。
【図９】本発明の実施の形態３に係るプリント作成方法の工程を示す図である。
【図１０】画像形成工程を実行する装置の第１例であるカラー画像形成装置を示す図である。
【図１１】画像処理手段を示すブロック図である。
【図１２】画像メモリからの画像データの読み出しを説明する図である。
【図１３】画像形成工程を実行する装置の第２例であるカラー画像形成装置を示す図である。
【符号の説明】
【００８７】
Ｇ  画像
Ｈ  光反射体
Ｎａ  画像形成用記録媒体
Ｎｂ  画像形成済み記録媒体
ＴＭ  透明基体
ＳＮ  接着又は粘着層
【図１】
2006308876.tif 000003
【図２】
2006308876.tif 000004
【図３】
2006308876.tif 000005
【図４】
2006308876.tif 000006
【図５】
2006308876.tif 000007
【図６】
2006308876.tif 000008
【図７】
2006308876.tif 000009
【図８】
2006308876.tif 000010
【図９】
2006308876.tif 000011
【図１０】
2006308876.tif 000012
【図１１】
2006308876.tif 000013
【図１２】
2006308876.tif 000014
【図１３】
2006308876.tif 000015